(57)【特許請求の範囲】
【請求項１】
クリップ本体部と、前記クリップ本体部を支持するクリップ支持体との間で被挟持物を挟み込むようにした筆記具のクリップ構造であって、
前記クリップ支持体内で前記クリップ支持体の軸線方向に摺動すると共に、前記クリップ支持体の後端に向けてバネにより付勢されたスライダ部と、
前記クリップ支持体の前記軸線に対して直交する方向に延在する回動軸線をもった軸部によって前記クリップ支持体に回動自在に支持される前記クリップ本体部の基端部が前記スライダ部より後方に配置されたクリップ部と、
前記クリップ本体部の前記基端部の遊端側に設けられて前記軸部を中心に回動するカム部と、前記スライダ部の後端に設けられて前記カム部が摺接する従動面と、からなるカム機構と、を備え、
前記クリップ本体部が所定角度の中立位置まで回動している間において、前記カム部が前記スライダ部を前進させるように前記従動面を押圧しながら前記バネを圧縮変位させ、前記カム部には、前記クリップ本体部が閉じる方向にバネ力が印加され、
前記中立位置を超えて前記クリップ本体部が回動している間において、前記バネの伸長変位によって前記スライダ部を後退させて前記従動面が前記カム部を押圧し、前記カム部には、前記クリップ本体部が開く方向にバネ力が印加されることを特徴とする筆記具のクリップ構造。
【請求項２】
前記クリップ本体部の初期位置における前記カム部は、
前記軸線に対して斜めに交差する直線的な第１の当接面と、
前記第１の当接面に対して鋭角をなすように配置されると共に、前記軸線に平行に延在する直線的な第２の当接面と、
前記第１の当接面の一端と前記第２の当接面の一端とを連結する円弧状の第３の当接面と、
前記第２の当接面に連続して前記第１の当接面に平行に延在する第４の当接面と、を有し、
前記クリップ本体部の初期位置における前記従動面は、前記第１の当接面に接触し且つ平行に延在することを特徴とする請求項１記載の筆記具のクリップ構造。
【請求項３】
前記クリップ支持体の外周面には、前記軸線に沿って延在するシャープ芯補充用のスリットが形成され、前記クリップ本体部は、前記スリットに対向して配置されていることを特徴とする請求項１又は２記載の筆記具のクリップ構造。
【請求項４】
前記クリップ支持体の後端には、第１の開口部が形成され、前記クリップ本体部の前記基端部には、前記第１の開口部から露出する消しゴム装填筒部が設けられ、前記クリップ支持体の外周面には、前記第１の開口部から前記軸線方向に延在する第２の開口部が形成され、中空の前記スライダ部の後端には、第３の開口部が形成され、前記スライダ部の外周面には、前記第２の開口部に対向して前記第３の開口部から前記軸線方向に延在する第４の開口部が形成されていることを特徴とする請求項２又は３に記載の筆記具のクリップ構造。
【発明の詳細な説明】
【技術分野】
【０００１】
本発明は、筆記具のキャップや軸筒などに採用されるクリップ構造に関するものである。
【背景技術】
【０００２】
従来、このような分野の技術として、下記特許文献１に記載の筆記具のクリップ構造が知られている。この筆記具のクリップの基端側には、カム形状をなす頭部が形成され、この頭部で外筒内の芯ホルダの頂部を押して、中芯の先端を芯ホルダと一緒に外筒の先端から突出させることができる。さらに、クリップの頭部には、鋸歯状の係止溝が形成され、この係止溝が芯ホルダの頂部で係止され、中芯の筆記状態を維持させることができる。そして、クリップを閉じる方向に回動させると、芯ホルダの頂部が係止溝から外れ、バネ力によってクリップは元の状態に素早く戻される。
【先行技術文献】
【特許文献】
【０００３】
【特許文献１】実用新案登録第３０６７７０６号公報
【発明の概要】
【発明が解決しようとする課題】
【０００４】
しかしながら、従来のクリップ構造にあっては、クリップを大きく開かせることはできるが、クリップが開く方向に回動するときは、クリップが閉じる方向に常にバネ力が働き続けているので、バネ力が抵抗力となって、被挟持物(例えば本など)の面から略垂直方向に筆記具を引き離すような係脱動作や、クリップを略１８０度開かせながら、被挟持物に沿って筆記具を引き下げるような係脱動作を行い難い。このようにクリップを大きく開かせる動作において、従来のクリップ構造では、バネに多大な負担がかけ続けられ、筆記具を被挟持物からスムーズに外すことができないといった問題点がある。
【０００５】
本発明は、筆記具を被挟持物からスムーズに外すことができる筆記具のクリップ構造を提供することを目的とする。
【課題を解決するための手段】
【０００６】
本発明は、クリップ本体部と、クリップ本体部を支持するクリップ支持体との間で被挟持物を挟み込むようにした筆記具のクリップ構造であって、
クリップ支持体内でクリップ支持体の軸線方向に摺動すると共に、クリップ支持体の後端に向けてバネにより付勢されたスライダ部と、
クリップ支持体の軸線に対して直交する方向に延在する回動軸線をもった軸部によってクリップ支持体に回動自在に支持されるクリップ本体部の基端部がスライダ部より後方に配置されたクリップ部と、
クリップ本体部の基端部の遊端側に設けられて軸部を中心に回動するカム部と、スライダ部の後端に設けられてカム部が摺接する従動面と、からなるカム機構と、を備え、
クリップ本体部が所定角度の中立位置まで回動している間において、カム部がスライダ部を前進させるように従動面を押圧しながらバネを圧縮変位させ、カム部には、クリップ本体部が閉じる方向にバネ力が印加され、
中立位置を超えてクリップ本体部が回動している間において、バネの伸長変位によってスライダ部を後退させて従動面がカム部を押圧し、カム部には、クリップ本体部が開く方向にバネ力が印加されることを特徴とする。
【０００７】
この筆記具のクリップ構造においては、クリップ本体部の所定回動範囲内では、クリップ本体部とクリップ支持体とで被挟持物をバネ力によって挟み込むことができる。そして、クリップ本体部が中立位置を超えると、クリップ部の基端部には、クリップ本体部が開く方向にバネ力が印加されることになるので、クリップ本体部が中立位置を超えた直後から、バネ力によってクリップ本体部を一気に開かせることができる。このことは、筆記具を被挟持物から外す場合、従来のように、被挟持物に沿って筆記具を引き上げるような係脱動作は勿論のこと、例えば、クリップ本体部が９０度以上開くようなカム機構を採用している場合には、クリップ本体部を９０度以上開かせながら、被挟持物の面から略垂直方向に筆記具を引き離すような係脱動作を手早くスムーズに行うことができ、クリップ本体部が１８０度開くようなカム機構を採用している場合には、クリップ本体部を１８０度開かせながら、被挟持物に沿って筆記具を引き下げるような係脱動作を手早く且つスムーズに行うことができる。このような様々な動作において、本願発明では、クリップ本体部が中立位置を越えると、バネ力は、クリップ本体部を一気に開かせるように作用するので、バネに多大な負担をかけずに、筆記具を被挟持物からスムーズに外すことができる。
【０００８】
また、クリップ本体部の初期位置におけるカム部は、軸線に対して斜めに交差する直線的な第１の当接面と、第１の当接面に対して鋭角をなすように配置されると共に、軸線に平行に延在する直線的な第２の当接面と、第１の当接面の一端と第２の当接面の一端とを連結する円弧状の第３の当接面と、第２の当接面に連続して第１の当接面に平行に延在する第４の当接面と、を有し、クリップ本体部の初期位置における従動面は、第１の当接面に接触し且つ平行に延在すると好適である。
このような構成は、カム機構を複雑な形状にすることなく、クリップ本体部を略１８０度開かせることができる。
【０００９】
また、クリップ支持体の外周面には、軸線に沿って延在するシャープ芯補充用のスリットが形成され、クリップ本体部は、スリットに対向して配置されていると好適である。
このような構成を採用すると、筆記具をシャープペンシルとして利用することができ、クリップ本体部にスリットの蓋のような役割をもたせることができるので、スリットからシャープ芯が飛び出してしまうのを防止することができる。
【００１０】
また、クリップ支持体の後端には、第１の開口部が形成され、クリップ本体部の基端部には、第１の開口部から露出する消しゴム装填筒部が設けられ、クリップ支持体の外周面には、第１の開口部から軸線方向に延在する第２の開口部が形成され、中空のスライダ部の後端には、第３の開口部が形成され、スライダ部の外周面には、第２の開口部に対向して第３の開口部から軸線方向に延在する第４の開口部が形成されていると好適である。
クリップ本体部が開いてゆくに連れて、消しゴム装填筒部が第１〜第４の開口部を通ってスライダ部の内部に徐々に入り込む。そして、最終的に消しゴム装填筒部をスライダ部内に格納できるので、筆記具が消しゴム付きシャープペンシルであっても、クリップ本体部を略１８０度開かせることができる。
【発明の効果】
【００１１】
本発明によれば、筆記具を被挟持物からスムーズに外すことができる。
【図面の簡単な説明】
【００１２】
【図１】本発明に係る筆記具のクリップ構造の一実施形態を示す断面図である。
【図２】クリップ構造を示す斜視図である。
【図３】クリップ本体部の中立位置を示す断面図である。
【図４】クリップ本体が全開した状態を示す断面図である。
【図５】図３のＶ−Ｖ線に沿う断面図である。
【発明を実施するための形態】
【００１３】
以下、図面を参照しつつ本発明に係る筆記具のクリップ構造の好適な実施形態について詳細に説明する。なお、ペン先側を「前方側」として以下説明する。
【００１４】
図１に示すように、筆記具１は、前後で分割された前軸部２ａと後軸部２ｂとからなる軸筒２を備え、前軸部２ａは、握り易くするためのグリップ７で包囲され、後軸部２ｂの後端からはノック部３が突出している。そして、ノック部３を指で押すことで後軸部２ｂが前進し、ノック部３から指を離すと、前軸部２ａ内のバネ５によって後軸部２ｂを後退させることができる。このような動作によって、前軸部２ａのペン先６からシャープペンシルを繰り出すことができる。
【００１５】
軸筒２の後軸部２ｂには、先端に玉部４ｂを有するクリップ本体部４と、クリップ本体部４を支持する軸筒(クリップ支持体)２との間で被挟持物(例えば、本や雑誌など)を挟み込むように構成されたクリップ構造が採用されている。
【００１６】
図１及び図２に示すように、クリップ構造は、軸筒２の後軸部２ｂ内で軸筒２の軸線Ｌ方向に摺動するスライダ部１０と、スライダ部１０を軸筒２の後軸部２ｂの後端に向けて付勢する圧縮バネ１１と、軸筒２の軸線Ｌに対して直交する方向に延在する回動軸線Ｒをもった軸ピン(軸部)１２によって軸筒２の後軸部２ｂに回動自在に支持されるクリップ本体部４の基端部４ａを有すると共に、この基端部４ａがスライダ部１０より後方に配置されたクリップ部１４と、クリップ本体部４の開閉動作に連動してスライダ部１０を後軸部２ｂ内で進退させるカム機構１８と、を備えている。
【００１７】
クリップ部１４において、基端部４ａには、軸ピン１２が貫通する軸孔１４ａが形成され、基端部４ａには、消しゴム装填筒部１４ｂが一体に形成され、この消しゴム装填筒部１４ｂには、消しゴムキャップ３ａが嵌められている。また、スライダ部１０は、中空のスライダ本体部２０と、スライダ本体部２０の前端から軸線Ｌ方向に突出するバネ支持棒２１とを備えている。このバネ支持棒２１は、圧縮バネ１１を貫通すると共に、軸筒２の軸線Ｌから外れた位置で後軸部２ｂの内壁面近くに形成されたバネ収容空間部２２内に挿入されている。
【００１８】
このバネ収容空間部２２内に装填されたバネ１１の一端は、バネ収容空間部２２内で支持され、バネ１１の他端は、バネ支持棒２１の基端側で支持されている。このような構成により、スライダ部１０がクリップ部１４により軸線Ｌ方向に押されて前進すると、バネ収容空間部２２内でバネ１１は圧縮変位され、スライダ部１０が後退すると、バネ１１は、圧縮状態から伸長変位する。
【００１９】
更に、軸筒２の後軸部２ｂの後部には、クリップ本体部４の基端部４ａ及びスライダ部１０のスライダ本体部２０を収容する機構室Ｓが設けられ、この機構室Ｓは、バネ収容空間部２２に連通すると共に、左右一対の平坦な第１及び第２の側壁２３，２４と、第１の側壁２３と第２の側壁２４とを連結する平坦な第３の側壁２５との三壁により形成されている。
【００２０】
各第１及び第２の側壁２３，２４には、軸ピン１２が貫通する軸孔２７が形成されている。そして、第１及び第２の側壁２３，２４の内面には、スライダ本体部２０の両側壁２０Ａの外面に形成されたガイド溝２０ａ，２０ｂに入り込むガイドレール２３ａ，２４ａ(図５参照)が形成され、ガイド溝２０ａ，２０ｂ及びガイドレール２３ａ，２４ａは、いずれも軸線Ｌ方向に延在し、スライダ部１０を軸線Ｌ方向に確実に案内する。
【００２１】
機構室Ｓ内に配置されたカム機構１８は、クリップ本体部４の基端部４ａの遊端側に設けられて軸ピン１２を中心に回動するカム部１６と、スライダ部１０の後端に設けられてカム部１６が摺接する従動面１７とからなる。カム機構１８を採用することで、バネ１１に多大な負荷をかけることなく、クリップ本体部４を大きく開かせることができる。
【００２２】
クリップ本体部４の初期位置(図１の状態)におけるカム部１６は、軸線Ｌに対して斜め(約６０度)で交差する直線的な第１の当接面１６ａと、第１の当接面１６ａに対して鋭角をなすように配置されると共に、軸線Ｌに平行に延在する直線的な第２の当接面１６ｂと、第１の当接面１６ａの一端と第２の当接面１６ｂの一端とを連結する円弧状の第３の当接面１６ｃと、第２の当接面１６ｂに連続して第１の当接面１６ａに平行に延在する第４の当接面１６ｄと、を有する。これに対して、クリップ本体部４の初期位置において、従動面１７は、第１の当接面１６ａに接触し且つ平行に延在する。なお、この従動面１７は、スライダ本体部２０を中空状に形成する左右一対の側壁２０Ａの後端に形成されている。
【００２３】
更に、後軸部２ｂの後端には、消しゴム装填筒部１４ｂを露出させるための矩形の第１の開口部３１が形成され、後軸部２ｂの外周面には、第１の開口部３１から軸線Ｌ方向に延在する第２の開口部３２が形成されている。中空のスライダ本体部２０の後端には、矩形の第３の開口部３３が形成され、スライダ本体部２０の外周面には、第２の開口部３２に対向して第３の開口部３３から軸線Ｌ方向に延在する第４の開口部３４が形成されている。
【００２４】
図１に示すように、クリップ本体部４の開きが無い場合、第１の当接面１６ａと従動面１７とが面接触している。その後、図３に示すように、クリップ本体部４が約７５度まで回動している間において、カム部１６の第３の当接面１６ｃは、従動面１７上を摺動し、スライダ部１０を軸線Ｌ方向に前進させるように従動面１７を押圧しながらバネ１１を矢印Ａ方向に圧縮変位させる。このとき、カム部１６には、クリップ本体部４が閉じる方向にバネ力が印加されている。
【００２５】
図３に示すように、クリップ本体部４が約７５度開いたとき、クリップ本体部４は、バネ力の影響を受けない中立位置になるが、図４に示すように、この中立位置を越えてクリップ本体部４が回動している間において、カム部１６の第３の当接面１６ｃは、従動面１７上を摺動し、スライダ部１０が軸線Ｌ方向に後退するように矢印Ｂ方向にバネ１１が伸長変位する。このとき、カム部１６には、クリップ本体部４が開く方向(矢印Ｃ方向)に一気にバネ力が印加される。そして、従動面１７は、第２の当接面１６ｂと面接触した後、最終的に、第４の当接面１６ｄと面接触して、クリップ本体部４は約１８０度の開き角度で静止する。
【００２６】
この筆記具１のクリップ構造は、クリップ本体部４の開き角度αが７５度のときにクリップ本体部４が中立状態になるカム機構１８が採用され、クリップ本体部４の回動角度(開き角度)αが０度＜α＜約７５度の範囲内で、クリップ本体部４と軸筒２の後軸部２ｂとで厚い被挟持物(例えば本や雑誌など)をバネ力によって挟み込むことができる。更に、クリップ本体部４が中立位置(図４の二点鎖線)を越えて回動すると、クリップ本体部４の基端部４ａには、クリップ本体部４が開く方向に一気にバネ力が印加されることになるので、クリップ本体部４が中立位置を超えた直後から、バネ力によってクリップ本体部４を一気に開かせることができる。
【００２７】
このことは、筆記具１を被挟持物から外す場合、従来のように、被挟持物に沿って筆記具１を引き上げるような係脱動作は勿論のこと、クリップ本体部４を９０度以上開かせながら、被挟持物の面から略垂直方向に筆記具１を引き離すような係脱動作を手早く且つスムーズに行うことができる。さらには、クリップ本体部４を１８０度開かせながら、被挟持物に沿って筆記具１を引き下げるような係脱動作を手早くスムーズに行うことができる。このような様々な動作において、クリップ本体部４が中立位置を越えると、バネ力は、クリップ本体部４を一気に開かせるように作用するので、バネ１１に多大な負担をかけずに、筆記具１を被挟持物からスムーズに外すことができる。
【００２８】
また、この筆記具１では、前述した第１〜第４の開口部３１〜３４が採用されているので、クリップ本体部４が開いてゆくに連れて、消しゴム装填筒部１４ｂが第１〜第４の開口部３１〜３４を通ってスライダ本体部２０の内部に徐々に入り込む。そして、最終的に消しゴム装填筒部１４ｂをスライダ本体部２０内に格納できるので、筆記具１が消しゴム付きシャープペンシルであっても、クリップ本体部４を略１８０度開かせることができる。
【００２９】
さらに、図１、図２及び図４に示すように、筆記具１には、軸筒２の後軸部２ｂの外周面には、シャープ芯Ｐの補充に利用されるスリット４０が軸線Ｌに沿って形成されている。このスリット４０は、後軸部２ｂに端部が固定されたロート状のノック筒４１に連通している。このノック筒４１の先端は、前軸部２ａ内に配置された芯繰り出し部４２まで達し、芯繰り出し部４２を押すことで、シャープ芯Ｐを繰り出すことができる。さらに、スリット４０から入れられたシャープ芯Ｐは、ノック筒４１を通って芯繰り出し通路４３に供給される。
【００３０】
このようなスリット４０は、クリップ本体部４に対向して配置されているので、クリップ本体部４にスリット４０の蓋のような役割をもたせることができ、スリット４０からシャープ芯Ｐが飛び出すことを防止する。特に、玉部４ｂがスリット４０内に入り込んでいると、シャープ芯Ｐの飛び出し防止が一層良好になる。
【００３１】
本発明は、前述した実施形態に限定されないことは言うまでもない。
【００３２】
例えば、クリップ支持体としては、ペン先の保護や乾きを防止するために利用される着脱自在なキャップであってもよい。
【００３３】
カム機構１８の構成は、前述した実施形態に限らず、カム面や従動面が曲面であってもよい。
【符号の説明】
【００３４】
１…筆記具、２…軸筒(クリップ支持体)、４…クリップ本体部、４ａ…基端部、１０…スライダ部、１１…バネ、１２…軸ピン(軸部)、１４…クリップ部、１４ｂ…消しゴム装填筒部、１６…カム部、１６ａ…第１の当接面、１６ｂ…第２の当接面、１６ｃ…第３の当接面、１６ｄ…第４の当接面、１７…従動面、１８…カム機構、３１…第１の開口部、３２…第２の開口部、３３…第３の開口部、３４…第４の開口部、４０…スリット、Ｌ…軸線、Ｒ…回動軸線。
【図１】
0005469508.tif 000002
【図２】
0005469508.tif 000003
【図３】
0005469508.tif 000004
【図４】
0005469508.tif 000005
【図５】
0005469508.tif 000006